(57)【要約】      （修正有）【課題】衣服との接触摩擦を大きくして衣服が肌蹴けたり、位置ずれすることを防止し、衣服の仕上がり状態の向上に寄与できるようにした衣服の立体仕上げ装置用のカバーを提供する。【解決手段】衣服１を着せる人体型２と、この人体型２の傍らに設けられる鏝類３とを備えて形成されている衣服１の立体仕上げ装置の上記鏝類３に被せて使用するカバーである。上記の衣服１と接触する部分５を、硬質性の毛６ａをブラシ状に多数有する布６で形成する。この場合、鏝類３の種類や態様、及び毛６ａの向きは自由である。【選択図】図１
0003179114.tif 000002
【実用新案登録請求の範囲】
【請求項１】
衣服を着せる人体型と、この人体型の傍らに設けられる鏝類とを備えて形成されている衣服の立体仕上げ装置の上記鏝類に被せて使用するカバーであって、上記の衣服と接触する部分が、硬質性の毛をブラシ状に多数有する布で形成されていることを特徴とする衣服の立体仕上げ装置用のカバー。
【請求項２】
衣服を着せる人体型と、この人体型の傍らに縦向きに設けられる鏝類とを備えて形成されている衣服の立体仕上げ装置の上記鏝類に被せて使用するカバーであって、上記の衣服と接触する部分が、硬質性の毛をブラシ状に多数有する布で形成され、この布の毛が下向きに傾斜されていることを特徴とする衣服の立体仕上げ装置用のカバー。
【請求項３】
衣服としてのズボンの腰部を下方から被せて取り付けるためのセット部と、このセット部に吊り下げられたズボンの腰部のタックを押さえる押さえ鏝と、この押さえ鏝でタックが押さえられたズボンの裾を下方に引いてズボンを緊張するクランパーとを備えて形成されている衣服の立体仕上げ装置の上記押さえ鏝に被せて使用するカバーであって、上記の衣服としてのズボンと接触する部分が、硬質性の毛をブラシ状に多数有する布で形成されていることを特徴とする衣服の立体仕上げ装置用のカバー。
【請求項４】
請求項３記載のカバーであって、毛が上向きに傾斜されていることを特徴とする衣服の立体仕上げ装置用のカバー。
【考案の詳細な説明】
【技術分野】
【０００１】
本考案は、衣服の立体仕上げ装置用のカバーに関し、更に詳しくは例えばワイシャツや上着、或いはズボン等の衣服を押さえる鏝類に被せて使用する衣服の立体仕上げ装置用のカバーに関するものである。
【背景技術】
【０００２】
従来、この種のカバーは、例えばポリエステル等の生地で全体が平滑に形成されているのに過ぎなかった。
従って人体型に衣服を着せて仕上げる場合、衣服の内部に下方から熱風やスチームを吹き付けると、衣服の裾が捲れて肌蹴ることがあった。特に、例えばサイズの小さい上着は、カバーとの接触面積が、大きい上着に比べ小さいため、上着の内部に熱風等を下方から供給すると、裾が捲れて肌蹴け易く、その結果、綺麗に仕上げることができない場合が多かった。
【０００３】
また衣服の立体仕上げ装置は、人体型に着せた衣服の裾を裾押さえで固定した後、身頃の皺を取るため、人体型を少し上昇させることがある（例えば特許文献１参照）。
この場合、従来のカバーは、上記の通り、平滑な生地で形成されていたから、縦向きの鏝類に被せられているカバーと衣服との接触摩擦が小さく、裾押さえで固定していても衣服の裾が上方に引きずられ易かった。
【０００４】
また従来、衣服としてのズボンを仕上げる装置として、例えば特許文献２に記載されているものがある。この仕上げ装置は、ズボンの腰部をセット部に下方から被せ、このズボンのウエストバンドの前側中央部を前押さえで固定し、腰部のタックを押さえ鏝で押さえた状態で腰部を後方に牽引すると共に、クランパーで裾を下方に引いてズボンの腰部を膨張袋で緊張仕上げするものである。
従来、この種の装置の場合、上記の押さえ鏝に装着されるカバーは、人体型を備えた装置の鏝類に被せられるカバーと同様、全体が平滑な生地で形成されているのが通例であった。
従って従来、この種の装置でズボンを仕上げる場合は、クランパーが下方に移動してズボンの下端を牽引すると、ズボンの腰部がセット部から下方に引きずられ易いものであった。その結果、従来品を使用すると、ズボンを綺麗に緊張仕上げできない場合が多かった。
【先行技術文献】
【特許文献】
【０００５】
【特許文献１】特開２００７−１１７３２３号公報
【特許文献２】特開２００２−２１０２９８号公報
【考案の概要】
【考案が解決しようとする課題】
【０００６】
本考案は、このような従来の実情に鑑み、提案されたものである。
従って本考案の解決しようとする技術的課題は、衣服との接触摩擦を大きくして衣服が肌蹴けたり、位置ずれすることを防止し、衣服の仕上がり状態の向上に寄与できるよう形成した衣服の立体仕上げ装置用のカバーを提供することにある。
【課題を解決するための手段】
【０００７】
本考案は、上記の課題を解決するため、次のような技術的手段を採る。
即ち本考案は、図１等に示されるように、衣服１を着せる人体型２と、この人体型２の傍らに設けられる鏝類３とを備えて形成されている衣服１の立体仕上げ装置の上記鏝類３に被せて使用するカバーであって、上記の衣服１と接触する部分５が、硬質性の毛６ａをブラシ状に多数有する布６で形成されていることを特徴とする（請求項１）。
【０００８】
ここで、鏝類３としては、人体型２の前後や両側部に縦向きに設けられるものや、或いはシャツのカフス部を差し込んでセットするため、人体型２の両側の支持腕の上部に横向きに設けられるものがある。本考案の場合、毛６ａは、通常、樹脂繊維等が布６のベース生地に植え付けられることで設けられるが、形成の仕方は任意である。また毛６ａは、熱風やスチームの熱に耐え得るよう、耐熱質に形成されているのが好ましい。
なお本考案は、衣服１と接触する部分５が少なくとも上記のような布６で形成されているのであれば良く、従って衣服１と接触する部分５を越えて毛６ａが設けられているのでも良い。
【０００９】
而して本考案のカバーは、具体的には図１等に示されるような仕上げ装置に実現されるものである。
即ち、この本考案品は、衣服１を着せる人体型２と、この人体型２の傍らに縦向きに設けられる鏝類３とを備えて形成されている衣服１の立体仕上げ装置の上記鏝類３に被せて使用するカバーであって、上記の衣服１と接触する部分５が、硬質性の毛６ａをブラシ状に多数有する布６で形成され、この布６の毛６ａが下向きに傾斜されていることを特徴とする（請求項２）。
【００１０】
毛６ａの構造や性質、衣服１と接触する部分５の意味等は、上例と同様である。本考案の場合、毛６ａは下向き状であれば、その角度は任意である。この本考案の場合は、例えば衣服１の身頃を緊張して皺を取るため人体型２を少し上昇させたとき、この人体型２と一緒に上昇する衣服１の移動方向（図５の矢印参照）に対し、毛６ａの向きが逆になる。その結果、この本考案品によれば、例えば毛６ａの先が衣服１の繊維に食い込み、衣服１との接触摩擦が一層大きくなって衣服１の位置ずれを防止できるものである。
【００１１】
また本考案の他のカバーとしては、図６〜図９に示されるような装置に係るものがある。
即ち、この本考案品は、衣服１としてのズボンの腰部を下方から被せて取り付けるためのセット部９と、このセット部９に吊り下げられたズボンの腰部のタックを押さえる押さえ鏝１１と、この押さえ鏝１１でタックが押さえられたズボンの裾を下方に引いてズボンを緊張するクランパー１２とを備えて形成されている衣服１の立体仕上げ装置の上記押さえ鏝１１に被せて使用するカバーであって、上記の衣服１としてのズボンと接触する部分５が、硬質性の毛６ａをブラシ状に多数有する布６で形成されていることを特徴とする（請求項３）。
【００１２】
この本考案の場合も、毛６ａの構造や性質、衣服１と接触する部分５の意味等は、上例と同様である。この本考案品では、クランパー１２が少し下降してズボンの裾を下方に引いたとき、ズボンの腰部とカバーとの接触摩擦が大きくなる。従ってこれによると、衣服１としてのズボンの位置ずれを防止でき、ズボンの仕上がり状態の向上に寄与できる。
【００１３】
而してこの本考案の場合は、毛６ａが上向きに傾斜されているのが好ましい（請求項４）。
なぜならこの場合は、クランパー１２が少し下降して衣服１としてのズボンの裾を下方に引くと、ズボンの裾の移動方向（図９の矢印参照）とカバーの毛６ａの向きとが逆になり、毛６ａの先が例えばズボンの腰部の繊維に食い込み、接触摩擦が一層大きくなってズボンの位置ずれを、より確実に防止できるからである。
【考案の効果】
【００１４】
本考案のカバーは、このように衣服と接触する部分が、硬質性の毛をブラシ状に多数有する布で形成されているものである。
従って本考案のカバーによれば、衣服との接触摩擦が大きくなり、衣服が肌蹴けたり、位置ずれすることを防止でき、ひいては衣服の仕上がり状態の向上に寄与できる。
【図面の簡単な説明】
【００１５】
【図１】本考案のカバーを使用した仕上げ装置の正面図である。
【図２】同上カバーを使用した仕上げ装置の斜視図である。
【図３】同上カバーの使用状態を示す要部斜視図である。
【図４】同上カバーと衣服との関係を示す要部斜視図である。
【図５】同上カバーと衣服との関係を示す要部断面図である。
【図６】他の仕上げ装置に係る本考案品を示し、Ａは装置の要部側面図、Ｂは押さえ鏝の要部正面図である。
【図７】図６の仕上げ装置の要部正面図である。
【図８】図６の仕上げ装置に係る本考案品と衣服との関係を示す要部斜視図である。
【図９】図６の仕上げ装置に係る本考案品と衣服との関係を示す要部断面図である。
【図１０】図６の仕上げ装置の要部斜視図である。
【考案を実施するための形態】
【００１６】
以下、本考案を実施するための最良の形態を説明する。
図１、図２等において、１は衣服としての上着であり、２はこの衣服１を着せる人体型である。また３は、この人体型２の傍らに、この実施形態では縦向きに設けられている鏝類である。
【００１７】
鏝類３は、具体的には人体型２の前後に設けられて衣服１の前後の裾を起立状のパッド４に押し付けて固定する前後一対の裾押さえ３ａと、人体型２の両側に設けられて衣服１の両裾を側方に押し拡げて脇を張るための脇張り３ｂとで構成されている。
【００１８】
本考案のカバーは、上記の鏝類３に被せて使用するものであり、上記の衣服１と接触する部分５が、硬質性の毛６ａをブラシ状に多数有する布６で形成されている。毛６ａは、この実施形態では耐熱質の樹脂繊維が下向きに傾斜状に植え付けられている。
なお本考案品は、図３に示されるように、例えば周縁部の細長い袋状の紐通し部７に、紐８が通され、この紐８を結ぶことで、鏝類３に交換自在に取り付けられるものである。
【００１９】
而してこの実施形態に係る本考案品は、このように構成されているから、衣服１の身頃の皺を取るため、前後一対の裾押さえ３ａで衣服１の裾をパッド４に押し付けた状態で、人体型２を少し上昇させると、人体型２と一緒に移動する衣服１の移動方向（図５の矢印方向）に対し、毛６ａの向きが逆になる。
【００２０】
従って本考案品の場合は、毛６ａの先が、衣服１の移動に抗うように作用し、例えば衣服１の繊維に食い込み、衣服１との接触摩擦が大きくなる。その結果これによると、衣服１の上方への位置ずれを防止でき、身頃を緊張できるため、衣服１を綺麗に仕上げることができるものである。
【００２１】
以上の処において、本考案は、上記の鏝類３の種類や態様、及び毛６ａの向きは、上例に限定されるものではない。即ち、本考案の場合、鏝類３は、上記の裾押さえ３ａや脇張り３ｂには限られず、また例えば横向きに設けられているのでも良い。また毛６ａは、布６のベース生地に、例えば垂直に設けられているのでも良い。
【００２２】
次に請求項３、４に係る本考案品の好適な一実施形態を、図６〜図９に従って説明する。上例と同一部材、同一箇所には同一の符号を付し、詳しい説明は省略する。
【００２３】
図６等において、９は、衣服１としてのズボンの腰部を下方から被せて取り付けるためのセット部である。このセット部９は、ズボンの腰部を緊張仕上げする膨張袋１０を備えて形成されている。
【００２４】
１１は、セット部９に吊り下げられた衣服１としてのズボンの腰部のタックを押さえる押さえ鏝である。この押さえ鏝１１は、図７に示されるように、セット部９の両側に、仕上げ装置の正面から見て左右一対状に設けられている。また１２は、この押さえ鏝１１でタックが押さえられたズボンの裾を下方に引いてズボンを緊張するクランパーである。更に１３は、ズボンのウエストバンドの前側中央部を固定するための前押さえであり、１４は、ズボンの腰部を後方に牽引するための牽引機構である。
【００２５】
この実施形態に係る仕上げ装置は、上記の前押さえ１３でズボンのウエストバンドの前側中央部を固定し、押さえ鏝１１で腰部のタックを押さえた状態でズボンの腰部の後側を牽引機構１４で後方に牽引すると共に、クランパー１２で裾を下方に引いて上記の膨張袋１０でズボンの腰部を緊張仕上げするものである。
【００２６】
本考案品は、このような装置の上記の押さえ鏝１１に被せて使用するものである。図６Ｂにおいて、５は、衣服１としてのズボンと接触する部分である。この部分５は、硬質性の毛６ａをブラシ状に多数有する布６で形成されている。この布６の毛６ａは、この実施形態では上向きに傾斜されている。また毛６ａは、この実施形態では耐熱質の樹脂繊維が布６のベース生地に植え付けられることにより設けられている。
なおこの実施形態の本考案品は、図６Ａに示されるように、周縁部が袋状の紐通し部７に形成され、この紐通し部７に通される紐８で、押さえ鏝１１に取り付けられている。
【００２７】
而してこの本考案の場合は、クランパー１２が裾を挟み付けた状態で下降し、衣服１としてのズボンの裾を下方に少し引くと、ズボンの裾の移動方向（図９の矢印方向）と毛６ａの向きとが逆になる。
従って本考案では、毛６ａの先が、ズボンの移動に抗うように作用し、例えば腰部の繊維に食い込み、接触摩擦が大きくなる。その結果、本考案品によれば、ズボンの腰部が下方に位置ずれすることを防止でき、ズボンが確実に緊張され、ズボンを綺麗に仕上げることができるものである。
【００２８】
以上の処において、この種のズボンの仕上げ装置の場合は、押さえ鏝１１のカバーに代え、或いは押さえ鏝１１のカバーと共に、図１０に示されるように、セット部９に被せて使用するカバーが、上例のように構成されているのでも良い。同図において、５は、衣服１と接触する部分であり、６は硬質性の毛６ａをブラシ状に多数有する布である。
この場合、毛６ａは、上例と同様、上向きに傾斜されているのが好ましい。なぜならこれによると、ズボンとの接触摩擦が大きくなるだけではなく、ズボンをセット部９に下方から差し込んでセットするとき、毛６ａとの抵抗が小さくなり、セットが容易になるからである。
【符号の説明】
【００２９】
１      衣服
２      人体型
３      鏝類
５      衣服と接触する部分
６      布
６ａ    硬質性の毛
【図１】
0003179114.tif 000003
【図２】
0003179114.tif 000004
【図３】
0003179114.tif 000005
【図４】
0003179114.tif 000006
【図５】
0003179114.tif 000007
【図６】
0003179114.tif 000008
【図７】
0003179114.tif 000009
【図８】
0003179114.tif 000010
【図９】
0003179114.tif 000011
【図１０】
0003179114.tif 000012